(57)【要約】【課題】  複数の表示装置を有する撮像装置において、各表示モードで画像表示に用いる表示装置を簡単な操作で容易に選択し、設定できるようにすること。【解決手段】  被写体を電気的に撮影し、得られた画像データを記憶媒体に記憶する撮像装置（１００）であって、ＬＣＤ（２８）及びＥＶＦ（３２）と、複数の異なる表示モード毎にＬＣＤまたはＥＶＦに画像データを表示中に、当該画像データの表示先を他方に変更することで、前記複数の表示モード毎にＬＣＤまたはＥＶＦを選択するための表示装置切り換えボタン（６６）と、表示装置切り換えボタンにより選択されたＬＣＤ及びＥＶＦのいずれかを、前記複数の表示モード毎にそれぞれ記憶するメモリ（５２、５６）と、前記表示モードに応じて、メモリに記憶されたＬＣＤまたはＥＶＦに画像データを表示するように制御する表示制御手段とを有する。【選択図】  図１
2005223762.tif 000002
【特許請求の範囲】
【請求項１】
被写体を電気的に撮影し、得られた画像データを記憶媒体に記憶する撮像装置であって、
複数の画像表示手段と、
複数の異なる表示モード毎に前記複数の画像表示手段のいずれかに画像データを表示中に、当該画像データの表示先を別の画像表示装置に変更することで、前記複数の表示モード毎に画像データの表示に用いる画像表示手段を前記複数の画像表示手段の中から選択するための選択手段と、
前記選択手段により選択された画像表示手段を、前記複数の表示モード毎にそれぞれ記憶する記憶手段と、
前記表示モードに応じて、前記記憶手段に記憶された画像表示手段に画像データを表示するように制御する表示制御手段と
を有することを特徴とする撮像装置。
【請求項２】
前記選択手段は、１回の操作を受け付ける毎に、前記画像データの表示先を前記複数の画像表示手段の中で順に切り換えることを特徴とする請求項１に記載の撮像装置。
【請求項３】
前記表示制御手段は、前記表示モードに応じた画像表示手段に前記画像データを表示中、他の画像表示手段を消灯することを特徴とする請求項１または２に記載の撮像装置。
【請求項４】
前記複数の表示モードは、少なくとも、被写体像をほぼリアルタイムで逐次表示するライブ表示モードと、撮影直後に撮影画像を所定時間表示するレビュー表示モードとを含むことを特徴とする請求項１乃至３のいずれかに記載の撮像装置。
【請求項５】
前記レビュー表示モードにおいて、前記所定時間内に所定の操作部材が操作された場合に、前記所定時間にかかわらずレビュー表示を継続することを特徴とする請求項４に記載の撮像装置。
【請求項６】
前記所定の操作部材は前記選択手段であって、該選択手段を用いて画像表示装置の変更が為された場合に、前記所定時間にかかわらずレビュー表示を継続することを特徴とする請求項５に記載の撮像装置。
【請求項７】
前記ライブ表示モードで画像データを表示中に、前記選択手段により別の画像表示手段が選択された場合に、当該新たに選択された画像表示手段を前記レビュー表示モードの画像表示手段として前記記憶手段に記憶することを特徴とする請求項４に記載の撮像装置。
【請求項８】
前記レビュー表示モードで画像データを表示中に、前記選択手段により別の画像表示手段が選択された場合に、当該新たに選択された画像表示手段を前記ライブ表示モードの画像表示手段として前記記憶手段に記憶することを特徴とする請求項４または７に記載の撮像装置。
【請求項９】
前記表示モードは、前記撮像装置が既に撮影した画像データを再生する再生モードにおいて画像データを表示するモードを含み、
前記記憶手段は、前記再生モードである場合に、前記選択手段により選択された画像表示手段を、前記再生モードにおける画像表示手段として記憶することを特徴とする請求項１乃至８のいずれかに記載の撮像装置。
【請求項１０】
前記所定時間にかかわらず前記レビュー表示を継続するときには、当該画像を、前記再生モードの画像表示手段として前記記憶手段に記憶されている画像表示手段に表示することを特徴とする請求項９に記載の撮像装置。
【請求項１１】
前記再生モードで画像データを表示中に、前記選択手段により別の画像表示手段が選択された場合に、当該新たに選択された画像表示手段を前記レビュー表示モードの画像表示手段として前記記憶手段に記憶し、前記レビュー表示モードで画像データを表示中に、前記選択手段により別の画像表示手段が選択された場合に、当該新たに選択された画像表示手段を前記再生モードの画像表示手段として前記記憶手段に記憶することを特徴とする請求項９または１０に記載の撮像装置。
【請求項１２】
前記複数の画像表示手段の少なくとも１つが格納可能であって、当該画像表示手段が格納されているときに、前記選択手段による当該画像表示手段の選択を不可にすると共に、前記複数の表示モードのいずれかで当該画像表示手段が選択されている場合に、他の画像表示手段に選択を変更することを特徴とする請求項１乃至１１のいずれかに記載の撮像装置。
【請求項１３】
前記格納可能な画像表示手段が使用可能状態に変移する時に、前記選択手段による当該画像表示手段の選択を許可すると共に、所定の表示モードに応じた画像表示手段を、当該画像表示手段に選択を変更することを特徴とする請求項１２に記載の撮像装置。
【請求項１４】
複数の画像表示手段を有し、被写体を電気的に撮影し、得られた画像データを記憶媒体に記憶する撮像装置の制御方法であって、
複数の異なる表示モードの内、使用する表示モードを判断する判断工程と、
前記判断された表示モードに応じて、前記複数の画像表示装置のいずれかに画像データを表示する表示工程と、
前記表示工程により画像データを表示中に、当該画像データの表示先を前記複数の画像表示装置の別の画像表示装置に変更する変更工程と、
前記変更後の画像表示装置を、前記判断された表示モードに関連づけて記憶する記憶工程とを有し、
前記変更工程及び前記記憶工程では、前記複数の表示モード毎に独立して処理を行い、前記表示工程では、前記表示モードに応じて記憶された画像表示手段に画像データを表示するように制御することを特徴とする制御方法。
【請求項１５】
前記変更工程では、１回の操作を受け付ける毎に、前記画像データの表示先を前記複数の画像表示手段の中で順に切り換えることを特徴とする請求項１４に記載の制御方法。
【請求項１６】
前記表示工程により、前記表示モードに応じた画像表示手段に前記画像データを表示中、他の画像表示手段を消灯する消灯工程を更に有することを特徴とする請求項１４または１５に記載の制御方法。
【請求項１７】
前記複数の表示モードは、少なくとも、被写体像をほぼリアルタイムで逐次表示するライブ表示モードと、撮影直後に撮影画像を所定時間表示するレビュー表示モードとを含むことを特徴とする請求項１４乃至１６のいずれかに記載の制御方法。
【請求項１８】
前記レビュー表示モードにおいて、前記所定時間内に所定の操作部材が操作された場合に、前記所定時間にかかわらずレビュー表示を継続することを特徴とする請求項１７に記載の制御方法。
【請求項１９】
前記所定の操作部材は選択手段であって、該選択手段を用いて画像表示装置の変更が為された場合に、前記所定時間にかかわらずレビュー表示を継続することを特徴とする請求項１８に記載の制御方法。
【請求項２０】
前記表示工程により前記ライブ表示モードで画像データを表示中に、前記変更工程で別の画像表示手段に変更された場合に、前記記憶工程では、変更後の画像表示手段を前記レビュー表示モードの画像表示手段として記憶することを特徴とする請求項１７に記載の制御方法。
【請求項２１】
前記表示工程により前記レビュー表示モードで画像データを表示中に、前記変更工程で別の画像表示手段が選択された場合に、前記記憶工程では、変更後の画像表示手段を前記ライブ表示モードの画像表示手段として記憶することを特徴とする請求項１７または２０に記載の制御方法。
【請求項２２】
前記表示モードは、前記撮像装置が既に撮影した画像データを再生する再生モードにおいて画像データを表示するモードを含み、
前記記憶工程では、前記再生モードである場合に、前記変更工程において変更された画像表示手段を、前記再生モードにおける画像表示手段として記憶することを特徴とする請求項１４乃至２１のいずれかに記載の制御方法。
【請求項２３】
前記所定時間にかかわらず前記レビュー表示を継続するときには、当該画像を、前記再生モードの画像表示手段として前記記憶工程で記憶された画像表示手段に表示することを特徴とする請求項２２に記載の制御方法。
【請求項２４】
前記表示工程により前記再生モードで画像データを表示中に、前記変更工程で別の画像表示手段が選択された場合に、前記記憶工程では、変更後の画像表示手段を前記レビュー表示モードの画像表示手段として記憶し、前記表示工程により前記レビュー表示モードで画像データを表示中に、前記変更工程で別の画像表示手段が選択された場合に、前記記憶工程では、変更後の画像表示手段を前記再生モードの画像表示手段として記憶することを特徴とする請求項２２または２３に記載の制御方法。
【請求項２５】
前記複数の画像表示手段の少なくとも１つが格納可能であって、当該画像表示手段が格納されているときに、前記変更工程における当該画像表示手段の選択を不可にすると共に、前記複数の表示モードのいずれかで当該画像表示手段が選択されている場合に、他の画像表示手段に変更することを特徴とする請求項１４乃至２４のいずれかに記載の制御方法。
【請求項２６】
前記格納可能な画像表示手段が使用可能状態に変移する時に、前記変更工程における当該画像表示手段の選択を許可すると共に、所定の表示モードに応じた画像表示手段を、当該画像表示手段に変更することを特徴とする請求項２５に記載の制御方法。
【発明の詳細な説明】
【技術分野】
【０００１】
本発明は複数の画像表示装置を備える撮像装置と、当該撮像装置の制御方法に関する。
【背景技術】
【０００２】
従来、電子ビューファインダ（ＥＶＦ）と液晶ディスプレイ（ＬＣＤ）等、複数の表示装置を備えるデジタルカメラが提供されている。
【０００３】
このようなデジタルカメラにおいては、撮影時はカメラのファインダ部に設けられたＥＶＦを用いて、表示される動画（ライブ表示）を見ながらフレーミングを行い、撮影後はカメラの背面に設けられたＬＣＤを用いて撮影した画像を表示するのが一般的である。
【０００４】
このような複数の表示装置を備えたデジタルカメラとして、画像を表示する表示装置として、ＥＶＦとＬＣＤ、または自動選択を指定する指定スイッチを有する撮像装置や（例えば、特許文献１参照）、表示する画像の内容に基づいて各画像をどの表示装置に表示するかの組み合わせを予め複数記憶しておき、切り換えボタンを操作することで、その組み合わせの中から好みのものを選択することのできるデジタルカメラが提案されている（例えば、特許文献２参照）。
【０００５】
また、撮影した画像を表示装置に表示する再生モードとは別に、撮影モードのままで撮影直後に撮影した画像を表示装置に表示するレビュー表示機能を備え、レビューボタンを操作してレビュー表示を行い、撮影した画像の構図やピント、露出等の確認を容易に行えるようにした構成を有するデジタルカメラも提案されている。
【０００６】
更に、上述したカメラにおいて、撮影した画像をレビュー表示する際はＬＣＤを優先的に使用するようにメニュー画面から予め設定可能とすることで、撮影の際はＥＶＦを使用して、レビューボタンを操作することで自動的に表示装置をＬＣＤに切り換えてレビュー表示を行うデジタルカメラも提供されている。
【０００７】
【特許文献１】特開２００２−２０９１２５号公報
【特許文献２】特開２００１−１７７７４２号公報
【発明の開示】
【発明が解決しようとする課題】
【０００８】
上述したデジタルカメラにおいては、ＬＣＤを優先的に使用する機能を持たない場合、撮影時のライブ表示に用いた表示装置に、引き続きレビュー表示が行われる。即ち、ＥＶＦを使用して撮影を行った場合はレビュー表示の際も引き続いてＥＶＦが使用されるため、一般的にＬＣＤと比較して画像の表示面積が小さく、表示画素数が少ないために表示の精細さに劣るＥＶＦでは、撮影した画像のピント等を厳密に確認することが困難であった。逆に、レビュー表示をＬＣＤで行うためには、ＬＣＤを使用して撮影を行うことになるが、その場合、カメラのホールドが不安定になりがちで手ブレを起こしやすかったり、また、太陽光下のように周囲が明るくＬＣＤが見づらい場合は撮影自体が困難となる場合があった。
【０００９】
このため、ライブ表示をＥＶＦで行い、レビュー表示をＬＣＤで行うためには、使用する表示装置としてＥＶＦを設定して撮影後、レビューボタンの操作等によりＥＶＦにレビュー表示を行い、更に、レビュー表示中に表示に使用する表示装置をＥＶＦからＬＣＤへ切り換える操作を行っていた。
【００１０】
しかしながら、上記構成では、画像を表示する表示装置としてＥＶＦかＬＣＤのいずれか一方を指定するため、レビュー終了後、ライブ表示に戻った時にもＬＣＤが指定されたままとなり、ＥＶＦを用いて撮影を再開する時には、レビュー時に選択したＬＣＤをＥＶＦへ戻すという煩わしい操作を行う必要があった。
【００１１】
上記の操作をレビュー表示の都度繰り返す必要があるため非常に操作性が悪く、表示装置の切り換え操作を行っている間にシャッターチャンスを逃がしてしまうこともあった。
【００１２】
一方、ＬＣＤを優先的に使用する機能を有するデジタルカメラにおいては、撮影した画像を表示する際にＬＣＤを優先して使用するように設定されていた場合、例えば、周囲が明るくてＬＣＤが見づらい等、周囲の状況に応じてレビュー表示をＥＶＦで行いたい時に、その都度カメラの設定メニュー画面において優先的にＬＣＤを使用する設定を解除するなどの変更操作を行う必要があった。
【００１３】
さらには、上記のようになされたデジタルカメラであっても、撮影後にレビューボタンを操作することなく自動的に撮影した画像を表示するクイックレビュー表示の際は、撮影に使用した表示装置がそのまま使用される。
【００１４】
また、特許文献２に記載のデジタルカメラでは、予め決められた組み合わせからの選択しかできず、また、切り換えボタンを操作して実際に画像が表示されるまでは、ユーザは、各組み合わせにおいてどの画像がどの表示装置に表示されるか分からないために、組み合わせを選択するのに時間がかかったり、好みの組み合わせが無いなどの問題があった。
【００１５】
本発明は上記問題点を鑑みてなされたものであり、複数の表示装置を有する撮像装置において、周囲の状況やユーザの好みに合わせて、各表示モードにおいて画像表示に用いる表示装置を簡単な操作で容易に選択し、設定できるようにすることを目的とする。
【課題を解決するための手段】
【００１６】
上記目的を達成するために、被写体を電気的に撮影し、得られた画像データを記憶媒体に記憶する本発明の撮像装置は、複数の画像表示手段と、複数の異なる表示モード毎に前記複数の画像表示手段のいずれかに画像データを表示中に、当該画像データの表示先を別の画像表示装置に変更することで、前記複数の表示モード毎に画像データの表示に用いる画像表示手段を前記複数の画像表示手段の中から選択するための選択手段と、前記選択手段により選択された画像表示手段を、前記複数の表示モード毎にそれぞれ記憶する記憶手段と、前記表示モードに応じて、前記記憶手段に記憶された画像表示手段に画像データを表示するように制御する表示制御手段とを有する。
【００１７】
また、複数の画像表示手段を有し、被写体を電気的に撮影し、得られた画像データを記憶媒体に記憶する撮像装置の本発明の制御方法は、複数の異なる表示モードの内、使用する表示モードを判断する判断工程と、前記判断された表示モードに応じて、前記複数の画像表示装置のいずれかに画像データを表示する表示工程と、前記表示工程により画像データを表示中に、当該画像データの表示先を前記複数の画像表示装置の別の画像表示装置に変更する変更工程と、前記変更後の画像表示装置を、前記判断された表示モードに関連づけて記憶する記憶工程とを有し、前記変更工程及び前記記憶工程では、前記複数の表示モード毎に独立して処理を行い、前記表示工程では、前記表示モードに応じて記憶された画像表示手段に画像データを表示するように制御する。
【発明の効果】
【００１８】
上記構成によれば、複数の表示装置を有する撮像装置において、各表示モードにおいて画像表示に用いる表示装置を簡単な操作で容易に選択し、設定することができる。
【発明を実施するための最良の形態】
【００１９】
以下、添付図面を参照して本発明を実施するための最良の形態を詳細に説明する。
【００２０】
図１は、本発明の実施の形態における撮像装置の構成を示す図である。
【００２１】
図１において、１００は本実施の形態における撮像装置である。撮像装置１００は、デジタルカメラ、デジタルビデオカメラ、カメラ付き携帯端末（カメラ付き携帯電話を含む）の何れであってもよい。実施の形態では、撮像装置１００がデジタルカメラである場合を説明する。
【００２２】
撮像装置１００内において、１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００２３】
１８は撮像素子１４、Ａ／Ｄ変換器１６、Ｄ／Ａ変換器２６、Ｄ／Ａ変換器３０にそれぞれクロック信号や制御信号を供給するタイミング発生回路であり、メモリ制御部２２及びシステム制御部５０により制御される。
【００２４】
２０は画像処理部であり、Ａ／Ｄ変換器１６からの画像データ或いはメモリ制御部２２からの画像データに対して所定の画素補間処理や色変換処理を行う。また、画像処理部２０は、Ａ／Ｄ変換器１６から出力される画像データを用いて所定の演算処理を行い、得られた演算結果に基づいてシステム制御部５０が露光制御部４０及び測距制御部４２に対して、ＴＴＬ（スルー・ザ・レンズ）方式のオートフォーカス（ＡＦ）処理、自動露出（ＡＥ）処理、フラッシュプリ発光（ＥＦ）処理を行っている。さらに、画像処理部２０は、Ａ／Ｄ変換器１６から出力される画像データを用いて所定の演算処理を行い、得られた演算結果に基づいてＴＴＬ方式のオートホワイトバランス（ＡＷＢ）処理も行っている。
【００２５】
２２はメモリ制御部であり、Ａ／Ｄ変換器１６、タイミング発生回路１８、画像処理部２０、画像表示メモリ２４、Ｄ／Ａ変換器２６、Ｄ／Ａ変換器３０、メモリ３４、圧縮伸長部３６を制御する。Ａ／Ｄ変換器１６から出力される画像データは、画像処理部２０、メモリ制御部２２を介して、或いはメモリ制御部２２のみを介して、画像表示メモリ２４或いはメモリ３４に書き込まれる。
【００２６】
２４は画像表示メモリ、２６はＤ／Ａ変換器、２８はＬＣＤ（Liquid Crystal Display）等を有する画像表示部（以下、「ＬＣＤ」）、３０はＤ／Ａ変換器、３２は電子ビューファインダ（ＥＶＦ）である。画像表示メモリ２４に書き込まれた表示用の画像データはＤ／Ａ変換器２６を介してＬＣＤ２８に、または、Ｄ／Ａ変換器３０を介してＥＶＦ３２に表示される。
【００２７】
ＬＣＤ２８若しくはＥＶＦ３２を用いて撮像した画像データを逐次表示すれば、電子ファインダ機能を実現することが可能である。なお、ＬＣＤ２８若しくはＥＶＦ３２は、システム制御部５０の指示により表示のＯＮ又はＯＦＦが可能である。ＬＣＤ２８及び／またはＥＶＦ３２の表示をＯＦＦにした場合、撮像装置１００の電力消費を大幅に低減することができる。
【００２８】
３４は撮影した静止画像や動画像を格納するためのメモリであり、所定枚数の静止画像や所定時間の動画像を格納するのに充分な記憶容量を備えている。これにより、複数枚の静止画像を連続して撮影する連写やパノラマ撮影の場合にも、高速かつ大量の画像をメモリ３４に書き込むことができる。また、メモリ３４はシステム制御部５０の作業領域としても使用することが可能である。
【００２９】
３６はメモリ３４から読み出した画像データを所定の画像圧縮方法（適応離散コサイン変換（ＡＤＣＴ）等）に従って画像圧縮し、画像圧縮された画像データをメモリ３４に書き込む機能及びメモリ３４から読み出した画像データを伸長し、伸長した画像データをメモリ３４に書き込む機能を有する圧縮伸長部である。
【００３０】
４０は絞り機能を備えるシャッター１２を制御する露光制御部であり、フラッシュ４８と連携することによりフラッシュ調光機能も有するものである。４２は撮影レンズ１０のフォーカシングを制御する測距制御部、４４は撮影レンズ１０のズーミングを制御するズーム制御部、４６はレンズを保護するためのバリア１０２の動作を制御するバリア制御部である。４８はフラッシュであり、ＡＦ補助光の投光機能、フラッシュ調光機能も有する。露光制御部４０及び測距制御部４２はＴＴＬ方式を用いて制御されており、上述の通り、Ａ／Ｄ変換器１６からの画像データを画像処理部２０によって演算した演算結果に基づき、システム制御部５０が露光制御部４０及び測距制御部４２を制御する。
【００３１】
５０は撮像装置１００全体を制御するシステム制御部であり、５２はシステム制御部５０の動作用の定数、変数、プログラム等を記憶するメモリである。
【００３２】
５４はシステム制御部５０でのプログラムの実行に応じて、文字、画像、音声等を用いて動作状態やメッセージ等をユーザに報知する、表示装置やスピーカー等の通知部であり、撮像装置１００の操作部近辺の視認し易い位置に単数或いは複数個所設置される。例えばＬＣＤやＬＥＤ、発音素子等の組み合わせにより構成されている。また、通知部５４は、その一部の機能が光学ファインダ内に設置されている。
【００３３】
通知部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示等がある。
【００３４】
また、通知部５４の表示内容のうち、光学ファインダ付近に配置されるＬＥＤ等に表示するものとしては、合焦表示、手振れ警告表示、フラッシュ充電表示等がある。
【００３５】
５６は電気的に消去・記録可能な不揮発性メモリであり、例えばＥＥＰＲＯＭ等が用いられる。
【００３６】
６０、６２、６４、６６及び７０は、システム制御部５０の各種の動作指示を入力するための操作手段であり、スイッチやダイアル、タッチパネル、視線検知によるポインティング、音声認識装置等の単数或いは複数の組み合わせで構成される。
【００３７】
ここで、これらの操作手段の具体的な説明を行う。
【００３８】
６０はモードダイアルスイッチで、電源オフ、自動撮影モード、撮影モード、パノラマ撮影モード、再生モード、マルチ画面再生・消去モード、ＰＣ接続モード等の各機能モードを切り換え設定することができる。
【００３９】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４０】
６４はシャッタースイッチＳＷ２で、不図示のシャッターボタンの操作完了でＯＮとなり、撮像素子１２から読み出した信号をＡ／Ｄ変換器１６、メモリ制御部２２を介してメモリ３４に画像データを書き込む露光処理、画像処理部２０やメモリ制御部２２での演算を用いた現像処理、メモリ３４から画像データを読み出し、圧縮伸長部３６で画像圧縮を行い、記録媒体２００或いは２１０に画像データを書き込む記録処理という一連の処理の動作開始を指示する。
【００４１】
６６は表示装置切り換えボタンで、電子ファインダ画像や撮影した画像等の表示を、ＬＣＤ２８やＥＶＦ３２等の表示装置のいずれで行うかを指示する。
【００４２】
７０は各種ボタンやタッチパネル等からなる操作部で、メニューボタン、セットボタン、マクロ／非マクロ切り換えボタン、マルチ画面再生改ページボタン、フラッシュ設定ボタン、単写／連写／セルフタイマー切り換えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。
【００４３】
８０は電源制御部で、電池検出回路、ＤＣ−ＣＤコンバータ、通電するブロックを切り換えるスイッチ回路等により構成されており、電池の装着の有無、電池の種類、電池残量の検出を行い、検出結果及びシステム制御部５０の指示に基づいてＤＣ−ＤＣコンバータを制御し、必要な電圧を必要な期間、記録媒体を含む各部へ供給する。
【００４４】
８２、８４はコネクタ、８６はアルカリ電池やリチウム電池等の一次電池やＮｉＣｄ電池やＮｉＭＨ電池、Ｌｉ電池等の二次電池、ＡＣアダプター、または外部バッテリ等からなる電源である。
【００４５】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体検知部である。
【００４６】
尚、本実施の形態では記録媒体を取り付けるインタフェース及びコネクタを２系統持つものとして説明している。勿論、記録媒体を取り付けるインタフェース及びコネクタは、単数或いは複数、いずれの系統数を備える構成としても構わない。また、異なる規格のインタフェース及びコネクタを組み合わせて備える構成としてもよい。
【００４７】
インタフェース及びコネクタとしては、ＰＣＭＣＩＡカードやコンパクトフラッシュ（登録商標）カード等の規格に準拠したものを用いて構成することが可能である。インタフェース９０及び９４、そしてコネクタ９２及び９６をＰＣＭＣＩＡカードやＣＦカード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことができる。
【００４８】
１０２は、撮像装置１００のレンズ１０を含む撮像部を覆う事により、撮像部の汚れや破損を防止する保護装置であるバリアである。
【００４９】
１１０は通信部で、ＲＳ２３２ＣやＵＳＢ、ＩＥＥＥ１３９４、Ｐ１２８４、ＳＣＳＩ、モデム、ＬＡＮ、無線通信等の各種通信機能を有する。
【００５０】
１１２は通信部１１０により撮像装置１００を他の機器と接続するコネクタ或いは無線通信の場合はアンテナである。
【００５１】
２００及び２１０はメモリカードやハードディスク等の記録媒体である。記録媒体２００及び２１０は、それぞれ半導体メモリや磁気ディスク等から構成される記録部２０２及び２１２と、撮像装置１００とのインタフェース２０４及び２１４と、撮像装置１００と接続を行うコネクタ２０６及び２１６とを備えている。
【００５２】
＜第１の実施形態＞
次に、上記構成を有する撮像装置１００の第１の実施形態における動作について、説明する。
【００５３】
図２〜図７は、本第１の実施形態における撮影モード時の表示装置切り換え動作を示すフローチャートである。
【００５４】
撮像装置１００において、モードダイアル６０の選択により撮影モードを開始すると、ステップＳ１００において、システム制御部５０は、図２に示すように、撮像した画像データを逐次表示するライブ表示処理（ライブ表示モード）を開始する。ライブ表示処理においては、撮像素子１４、Ａ／Ｄ変換器１６、画像処理部２０、メモリ制御部２２を介して、画像表示メモリ２４に逐次書き込まれたデータを、メモリ制御部２２、Ｄ／Ａ変換器２６を介してＬＣＤ２８により、又はＤ／Ａ変換器３０を介してＥＶＦ３２により逐次表示することにより、電子ファインダ機能を実現する。
【００５５】
図３は、ステップＳ１００で行われるライブ表示処理の詳細を示すフローチャートである。
【００５６】
ステップＳ１２０において、ライブ用の表示装置設定がどの表示装置にされているかを判断し、ＬＣＤに設定されている場合は処理をステップＳ１２１へ進め、ＬＣＤ２８がＯＦＦであれば、ステップＳ１２２でＬＣＤ２８をＯＮした後、ライブ画像をＬＣＤ２８に表示する（ステップＳ１２３）。
【００５７】
一方、ステップＳ１２０においてライブ用の表示装置設定がＥＶＦに設定されていると判断された場合は処理をステップＳ１２４へ進め、ＥＶＦ３２がＯＦＦであれば、ステップＳ１２５でＥＶＦ３２をＯＮした後、ライブ画像をＥＶＦ３２へ表示する（ステップＳ１２６）。ステップＳ１２３またはＳ１２６でライブ表示後、図２のフローに戻る。
【００５８】
次に、図２のステップＳ１０１において、ライブ表示中に、表示装置切り換えボタン６６が操作されたかどうかを判断し、操作されていなければステップＳ１０３に進み、操作されていた場合にはステップＳ１０２に進んでライブ表示切り換え処理を実行する。
【００５９】
図４は、ステップＳ１０２におけるライブ表示切り換え処理の詳細を示すフローチャートである。
【００６０】
ステップＳ１３０では、現在設定されているライブ表示用の表示装置を判断し、ＬＣＤに設定されている場合、ステップＳ１３１に進んでライブ用の表示装置設定をＥＶＦに変更し、ステップＳ１３２でＬＣＤ２８をＯＦＦにしてから、ステップＳ１３５に進む。
【００６１】
一方、ステップＳ１３０でライブ用の表示装置設定がＥＶＦに設定されていると判断された場合、ステップＳ１３３に進んでライブ用の表示装置設定をＬＣＤに変更し、ステップＳ１３４でＥＶＦ３２をＯＦＦにしてから、ステップＳ１３５に進む。ステップＳ１３５では、図３を参照して説明したライブ表示処理を実行する。処理終了後は図２のフローに戻る。なお、ステップＳ１３２及びＳ１３５の処理の実行タイミングはこれに限るものではなく、例えば、ライブ表示処理の実行後でも良いし、または行わなくても良い。
【００６２】
このように、ライブ表示中に、表示装置切り換えボタン６６を操作することで、ライブ表示に使用する表示装置を簡単に選択し、これを設定・記憶することが可能となる。なお、ライブ用の表示装置設定は、システム制御部５０の内部メモリあるいはメモリ５２あるいは不揮発性メモリ５６に記憶する。
【００６３】
続いて、図２のステップＳ１０３において、ライブ表示中に、シャッタースイッチ６４（ＳＷ２）が操作されたかどうかを判断し、操作されていなければステップＳ１１０に進み、操作により撮影開始の指示がなされた場合には、システム制御部５０はステップＳ１０４において撮影処理を実行する。
【００６４】
図５は、ステップＳ１０４で行われる撮影処理の詳細を示すフローチャートである。
【００６５】
まずステップＳ１４０において、システム制御部５０は、露光制御部４０を介してシャッター１２を駆動し、適正期間露光を行う露光処理を実行する。適正期間露光後、システム制御部５０は、撮像素子１４、Ａ／Ｄ変換器１６、画像処理部２０、メモリ制御部２２を介して、あるいはＡ／Ｄ変換器１６から直接メモリ制御部２２を介して、メモリ３４のＲＡＷデータ領域へ撮影した画像データを読み出す撮像素子読み出し処理を実行する（ステップＳ１４１）。この時、画像処理部２０で行われる画像処理は、撮像素子１４の縦横画素比率を１：１に補間する画素正方化処理等の必要最低限の処理であり、メモリ３４のＲＡＷデータ領域には、実質的に撮像素子１４から読み出した画像データが劣化することなくそのまま記憶される。
【００６６】
撮像素子読み出し処理後、記録形式として例えば、ＪＰＥＧ形式が指定されている場合、システム制御部５０は、メモリ３４のＲＡＷデータ領域に書き込まれた画像データを読み出して、メモリ制御部２２そして必要に応じて画像処理部２０を用いて各種画像処理を、また、圧縮伸長部３６を用いて設定したモードに応じた画像圧縮処理を行う、撮影画像データ処理を実行する（ステップＳ１４２）。
【００６７】
次に、システム制御部５０は、撮影画像データ処理により作成されたＪＰＥＧ画像データをインタフェース９０あるいは９４、コネクタ９２あるいは９６を介して、メモリカードやコンパクトフラッシュ（登録商標）カード等の記録媒体２００あるいは２１０へ書き込むＪＰＥＧデータ記録処理を実行し（ステップＳ１４３）、撮影処理を終了する。なお、使用する記録形式はＪＰＥＧに限るものではなく、任意の形式であって良いことは言うまでもない。
【００６８】
上述したようにして図２のステップＳ１０４における撮影処理を終えた後、システム制御部５０は、撮影後にレビュー表示を行うようあらかじめ設定されている場合や、操作部７０の所定操作部材の操作によりレビュー表示を行うよう指定された場合（ステップＳ１０５でＹＥＳ）、撮影した画像データをレビュー画像として表示する、レビュー表示処理（レビュー表示モード）を実行する（ステップＳ１０６）。設定されていない場合にはステップＳ１１０に進む。
【００６９】
図６は、ステップＳ１０６で行われるレビュー表示処理の詳細を示すフローチャートである。まず、ステップＳ１５０で現在設定されているレビュー用の表示装置を判断する。ＬＣＤに設定されている場合、処理をステップＳ１５１へ進め、ＬＣＤ２８がＯＦＦであれば、ステップＳ１５２でＬＣＤ２８をＯＮした後、撮影した画像データを、レビュー画像としてＬＣＤ２８へ表示する（ステップＳ１５３）。
【００７０】
一方、ステップＳ１５０でレビュー用の表示装置設定がＥＶＦに設定されていると判断された場合、処理をステップＳ１５４へ進め、ＥＶＦ３２がＯＦＦであれば、ステップＳ１５５でＥＶＦ３２をＯＮした後、撮影した画像データを、レビュー画像としてＥＶＦ３２へ表示する（ステップＳ１５６）。ステップＳ１５３またはＳ１５６でレビュー画像表示後、図２のフローに戻る。
【００７１】
次に、ステップＳ１０７において、レビュー表示中に表示装置切り換えボタン６６が操作されたか否かを判断し、操作されていなければステップＳ１０９に進み、操作された場合には、システム制御部５０は処理をステップＳ１０８に進め、レビュー表示切り換え処理を実行する。
【００７２】
図７は、ステップＳ１０７で行われるレビュー表示切り換え処理の詳細を示すフローチャートである。
【００７３】
ステップＳ１６０において、現在設定されているレビュー用の表示装置を判断し、ＬＣＤに設定されている場合、ステップＳ１６１に進んでレビュー用の表示装置設定をＥＶＦに変更し、ステップＳ１６２でＬＣＤ２８をＯＦＦにしてから、ステップＳ１６５に進む。
【００７４】
一方、ステップＳ１６０でレビュー用の表示装置設定がＥＶＦに設定されていると判断された場合、ステップＳ１６２においてレビュー用の表示装置設定をＬＣＤに変更し、ステップＳ１６４でＥＶＦ３２をＯＦＦにしてから、ステップＳ１６３に進む。ステップＳ１６３では、図６を参照して上述したレビュー表示処理を実行する。処理を終了後は図２のフローに戻る。なお、ステップＳ１６２及びＳ１６５の処理の実行タイミングはこれに限るものではなく、例えば、レビュー表示処理の実行後でも良いし、または行わなくても良い。
【００７５】
このように、レビュー表示中に、表示装置切り換えボタン６６を操作することで、レビュー表示に使用する表示装置を簡単に選択し、これを設定・記憶することが可能となる。なお、レビュー用の表示装置設定は、システム制御部５０の内部メモリあるいはメモリ５２あるいは不揮発性メモリ５６に記憶する。
【００７６】
次に、図２のステップＳ１０９において、システム制御部５０は、所定時間が経過してレビュー表示を終了する場合、又は、シャッタースイッチ６２、６４若しくは操作部７０等の操作によりレビュー表示を終了する場合かどうかを判断し、レビュー表示を継続する場合には処理をステップＳ１０７に戻し、終了する場合には処理をＳ１１０へ進める。
【００７７】
最後に、システム制御部５０は、ステップＳ１１０にてモードダイアル６０や操作部７０の操作により撮影モードの終了が指示されるまで、処理をステップＳ１００へ戻して撮影モードにおける処理を継続する。
【００７８】
以上で、撮像装置１００における、撮影モードの一連の動作が完了する。
【００７９】
次に、図８〜図１０のフローチャートを参照して、本第１の実施形態における撮像装置１００の再生モード時の表示装置切り換え動作について説明する。
【００８０】
撮像装置１００において、モードダイアル６０の選択により再生モードを開始すると、ステップＳ２００において、システム制御部５０は、図８に示すように、撮影して記録媒体２００あるいは２１０に記録された画像データを表示する再生表示処理（再生表示モード）を開始する。
【００８１】
図９は、ステップＳ２００で行われる再生表示処理の詳細を示すフローチャートである。
【００８２】
ステップＳ２１０において、再生用の表示装置設定がどの表示装置にされているかを判断し、ＬＣＤに設定されている場合は処理をステップＳ２１１へ進め、ＬＣＤ２８がＯＦＦであれば、ステップＳ２１２でＬＣＤ２８をＯＮした後、、記録媒体２００あるいは２１０に格納されている撮影画像をＬＣＤ２８に再生表示する（ステップＳ２１３）。
【００８３】
一方、ステップＳ２１０において再生用の表示装置設定がＥＶＦに設定されている場合は処理をステップＳ２１４へ進め、ＥＶＦ３２がＯＦＦであれば、ステップＳ２１５でＥＶＦ３２をＯＮした後、記録媒体２００あるいは２１０に格納されている撮影画像をＥＶＦ３２へ再生表示する（ステップＳ２１６）。ステップＳ２１３またはＳ２１６で再生表示後、図８のフローに戻る。
【００８４】
次に、図８のステップＳ２０１において、再生表示中に、表示装置切り換えボタン６６が操作されたかどうかを判断し、操作されていなければステップＳ２０３に進み、操作されていた場合にはステップＳ２０２に進んで再生表示切り換え処理を実行する。
【００８５】
図４は、ステップＳ２０２における再生表示切り換え処理の詳細を示すフローチャートである。
【００８６】
ステップＳ２２０では、現在設定されている再生用の表示装置を判断し、ＬＣＤに設定されている場合、ステップＳ２２１に進んで再生用の表示装置設定をＥＶＦに変更し、ステップＳ２２２でＬＣＤ２８をＯＦＦにしてから、ステップＳ２２５に進む。
【００８７】
一方、ステップＳ２２０で再生用の表示装置設定がＥＶＦに設定されていると判断された場合、ステップＳ２２３に進んで再生用の表示装置設定をＬＣＤに変更し、ステップＳ２２４でＥＶＦ３２をＯＦＦにしてから、ステップＳ２２５に進む。ステップＳ２２５では、図９を参照して説明した再生表示処理を実行する。処理終了後は図８のフローに戻る。なお、ステップＳ２２２及びＳ２２５の処理の実行タイミングはこれに限るものではなく、例えば、再生表示処理の実行後でも良いし、または行わなくても良い。
【００８８】
このように、再生表示中に、表示装置切り換えボタン６６を操作することで、再生表示に使用する表示装置を簡単に選択し、これを設定・記憶することが可能となる。なお、再生用の表示装置設定は、システム制御部５０の内部メモリあるいはメモリ５２あるいは不揮発性メモリ５６に記憶する。
【００８９】
最後に、システム制御部５０は、図８のステップＳ２０３において、モードダイアル６０や操作部７０の操作により再生モードの終了が指示されるまで、処理をＳ２１０へ戻して再生モードを継続する。
【００９０】
以上で、撮像装置１００における、再生モードの一連の動作が完了する。
【００９１】
このように、本第１の実施形態によれば、撮像装置の各表示モード毎に使用する表示装置を容易に切り換えて設定することが可能となるとともに、表示モードの切り換え時に、表示モードに応じて使用する表示装置を自動的に切り換えて画像を表示することが可能となる。
【００９２】
図１１は、本第１の実施形態の撮像装置１００における、警告表示の際の動作フローチャートを示す。
【００９３】
撮像装置１００において、ユーザに警告する事項が発生すると、システム制御部５０は、ＬＣＤ２８がＯＦＦであれば（ステップＳ３００でＹＥＳ）、ステップＳ３０１でＬＣＤ２８をＯＮした後、警告表示をＬＣＤ２８へ表示する（ステップＳ３０２）。
【００９４】
図１２は、本第１の実施形態の撮像装置１００における、設定メニュー表示の際の動作フローチャートを示す。
【００９５】
撮像装置１００において、操作部７０のメニューボタン操作によりメニュー表示が指示されると、システム制御部５０は、ＬＣＤ２８がＯＦＦであれば（ステップＳ３１０でＹＥＳ）、ステップＳ３１１でＬＣＤ２８をＯＮした後、設定メニューをＬＣＤ２８へ表示する（ステップＳ３１２）。
【００９６】
このように、警告表示を行ったり、設定メニューを表示して撮像装置１００の各種設定を行う際には、各表示モードにおける表示装置の設定によらず、外観上最も視認しやすいＬＣＤに表示を行うことにより、警告を一目でわかりやすく表示し、また、撮像装置１００の設定操作を快適に行うことが可能となる。
【００９７】
＜第２の実施形態＞
次に、本発明の第２の実施形態について説明する。
【００９８】
本第２の実施形態では、ライブ表示モードとレビュー表示モード間の切り換えを行う際に、各表示モードで設定された表示装置が異なる場合に、使用しない表示装置をＯＦＦにする。図１３は本第２の実施形態におけるライブ表示処理を示すフローチャート、図１４はレビュー表示処理を示すフローチャートである。図１３及び図１４に示す処理は、それぞれ第１の実施形態で図３及び図６に示す処理の代わりに行われ、その他の処理は第１の実施形態と同様であるため、説明を省略する。
【００９９】
まず、図１３を参照して、本第２の実施形態におけるライブ表示処理について説明する。
【０１００】
ステップＳ１２０〜Ｓ１２６の処理は、第１の実施形態で説明した図３の同じステップ番号で行われる処理と同様であるため、説明を省略する。その後、システム制御部５０は、ステップＳ１２７においてレビュー用の表示装置設定とライブ用の表示装置設定が同じであるかどうかを判断する。異なる場合にはステップＳ１２８でレビュー用の表示装置をＯＦＦにしてから、同じ場合にはそのまま、図２の処理にリターンする。
【０１０１】
次に、図１４を参照して、本第２の実施形態におけるレビュー表示処理について説明する。
【０１０２】
ステップＳ１５０〜Ｓ１５６の処理は、第１の実施形態で説明した図６の同じステップ番号で行われる処理と同様であるため、説明を省略する。その後、システム制御部５０は、ステップＳ１５７においてライブ用の表示装置設定と、レビュー用の表示装置設定が同じであるかどうかを判断する。異なる場合にはステップＳ１５８でライブ用の表示装置をＯＦＦしてから、同じ場合にはそのまま、図２の処理にリターンする。
【０１０３】
このように、本第２の実施形態によれば、ライブ用の表示装置設定とレビュー用の表示装置設定が異なる場合に、一方を表示中は、他方の表示装置をＯＦＦすることにより、不要な電力消費を押さえ、撮像装置１００のバッテリ寿命を延ばすことが可能となる。
【０１０４】
＜第３の実施形態＞
次に、本発明の第３の実施形態について説明する。
【０１０５】
本第３の実施形態では、ライブ表示時またはレビュー表示時のいずれかに表示装置設定を変更した場合に、他方の表示装置設定を自動的に切り換える。図１５は本第３の実施形態におけるライブ表示切り換え処理を示すフローチャート、図１６はレビュー表示切り換え処理を示すフローチャートである。図１５及び図１６に示す処理は、それぞれ第１の実施形態で図４及び図７に示す処理の代わりに行われ、その他の処理は第１の実施形態と同様であるため、説明を省略する。
【０１０６】
まず、図１５を参照して、本第３の実施形態におけるライブ表示切り換え処理について説明する。
【０１０７】
ステップＳ１３０〜Ｓ１３４の処理は、第１の実施形態で説明した図４の同じステップ番号で行われる処理と同様であるため、説明を省略する。その後、システム制御部５０は、ステップＳ１３６においてレビュー用の表示装置の設定を、ライブ用の表示装置の設定と同じになるように切り換える。つまり、ステップＳ１３１でライブ用の表示装置設定がＥＶＦに変更された場合、ステップＳ１３６ではレビュー用の表示装置設定もＥＶＦに変更し、ステップＳ１３３でライブ用の表示装置設定がＬＣＤに変更された場合、ステップＳ１３６ではレビュー用の表示装置設定もＬＣＤに変更する。
【０１０８】
その後、ステップＳ１３５において、図３に示すライブ表示処理を実行してから、図２のフローに戻る。
【０１０９】
次に、図１６を参照して、本第３の実施形態におけるレビュー表示切り換え処理について説明する。
【０１１０】
ステップＳ１６０〜Ｓ１６４の処理は、第１の実施形態で説明した図７の同じステップ番号で行われる処理と同様であるため、説明を省略する。その後、システム制御部５０は、ステップＳ１６６においてライブ用の表示装置の設定を、レビュー用の表示装置の設定と同じになるように切り換える。つまり、ステップＳ１６１でレビュー用の表示装置設定がＥＶＦに変更された場合、ステップＳ１６６ではライブ用の表示装置設定もＥＶＦに変更し、ステップＳ１６３でレビュー用の表示装置設定がＬＣＤに変更された場合、ステップＳ１３６ではライブ用の表示装置設定もＬＣＤに変更する。
【０１１１】
その後、ステップＳ１６５において、図６に示すレビュー表示処理を実行してから、図２のフローに戻る。
【０１１２】
このようにして、ライブ表示モード若しくはレビュー表示モードで使用する表示装置の設定を変更する際に、他方の表示モードで使用する表示装置の設定を自動的に変更することため、一度に表示装置を切り換えることが可能となる。
【０１１３】
＜第４の実施形態＞
次に、本発明の第４の実施形態について説明する。
【０１１４】
本第４の実施形態では、再生表示時またはレビュー表示時のいずれかに表示装置設定を変更した場合に、他方の表示装置設定を自動的に切り換える。図１７は本第３の実施形態におけるライブ表示切り換え処理を示すフローチャート、図１６はレビュー表示切り換え処理を示すフローチャートである。図１７及び図１８に示す処理は、それぞれ第１の実施形態で図１０及び図７に示す処理の代わりに行われ、その他の処理は第１の実施形態と同様であるため、説明を省略する。
【０１１５】
まず、図１７を参照して、本第４の実施形態における再生表示切り換え処理について説明する。
【０１１６】
ステップＳ２２０〜Ｓ２２４の処理は、第１の実施形態で説明した図１０の同じステップ番号で行われる処理と同様であるため、説明を省略する。その後、システム制御部５０は、ステップＳ２２６においてレビュー用の表示装置の設定を、再生用の表示装置の設定と同じになるように切り換える。つまり、ステップＳ２２１で再生用の表示装置設定がＥＶＦに変更された場合、ステップＳ２２６ではレビュー用の表示装置設定もＥＶＦに変更し、ステップＳ２２３で再生用の表示装置設定がＬＣＤに変更された場合、ステップＳ２２６ではレビュー用の表示装置設定もＬＣＤに変更する。
【０１１７】
その後、ステップＳ２２５において、図９に示す再生表示処理を実行してから、図８のフローに戻る。
【０１１８】
次に、図１８を参照して、本第４の実施形態におけるレビュー表示切り換え処理について説明する。
【０１１９】
ステップＳ１６０〜Ｓ１６４の処理は、第１の実施形態で説明した図７の同じステップ番号で行われる処理と同様であるため、説明を省略する。その後、システム制御部５０は、ステップＳ１６７において再生用の表示装置の設定を、レビュー用の表示装置の設定と同じになるように切り換える。つまり、ステップＳ１６１でレビュー用の表示装置設定がＥＶＦに変更された場合、ステップＳ１６６ではレビュー用の表示装置設定もＥＶＦに変更し、ステップＳ１６３でレビュー用の表示装置設定がＬＣＤに変更された場合、ステップＳ１３６では再生用の表示装置設定もＬＣＤに変更する。
【０１２０】
その後、ステップＳ１６５において、図６または図１４に示すレビュー表示処理を実行してから、図２のフローに戻る。
【０１２１】
このようにして、再生表示モード若しくはレビュー表示モードで使用する表示装置の設定を変更する際に、他方の表示モードで使用する表示装置の設定を自動的に変更するため、一度に表示装置を切り換えることが可能となる。
【０１２２】
なお、上記第３及び第４の実施形態では、他方の表示モードで使用する表示装置の設定を、切り換えを行ったものと同じ表示装置に変更するとして説明したが、逆に異なる表示装置に変更することも可能である。
【０１２３】
また、他方の表示モードで使用する表示装置の設定を、いずれの表示装置に変更するかをユーザが選択できるようにすることも可能である。
【０１２４】
さらには、他方の表示モードで使用する表示装置の設定を、自動的に切り換えるかどうかについて、ユーザが選択できるようにすることも可能である。
【０１２５】
＜第５の実施形態＞
次に、本発明の第５の実施形態について説明する。
【０１２６】
本第５の実施形態では、ＬＣＤ２８が開閉可能なパネルとして撮像装置１００に取り付けられている場合の表示制御処理について説明する。
【０１２７】
まず、図１９を参照して、本第５の実施形態における撮像装置１００の電源ＯＮ時に行われるＬＣＤの確認処理に付いて説明する。
【０１２８】
撮像装置１００の電源がＯＮされると、ステップＳ４００においてＬＣＤ２８が開いているかどうかを判断する。開いている場合には、そのまま処理を終了する。閉じている場合には、ステップＳ４０１でライブ用表示装置設定を、ステップＳ４０２でレビュー用表示装置設定を、またステップＳ４０３で再生用表示装置設定をそれぞれＥＶＦに設定し、ステップＳ４０４で表示装置切り換えボタン６６を無効にしてから処理を終了する。
【０１２９】
上記処理により、ＬＣＤ２８が閉じている場合には、表示が全てＥＶＦに行われることになる。
【０１３０】
上記図１９の処理を行うことにより、ＬＣＤ２８が閉じている場合には、ステップＳ１００、Ｓ１０６、または図８のステップＳ２００における各表示処理において、ＥＶＦに画像が表示されるとともに、表示装置切り換えボタン６６が無効になるので、図２のステップＳ１０１、Ｓ１０７及び図８のステップＳ２３１が必ずＮＯになり、表示装置の切り換え操作が不可能になる。なお、図１９の例では、ＬＣＤ２８が開いている場合にはそのまま処理を終了する場合について説明したが、ユーザが画像をＬＣＤ２８に表示したいものと判断して、各表示モードの表示装置設定を全てＬＣＤにしてから当該終了するようにしても良い。
【０１３１】
次に、図２０を参照して、本第５の実施形態におけるＬＣＤ２８を開くときに行われる処理について説明する。
【０１３２】
ＬＣＤ２８が不図示のセンサによって開かれたと判断すると、ステップＳ４１０においてライブ用表示装置設定を、ステップＳ４１１でレビュー用表示装置設定を、またステップＳ４１２で再生用表示装置設定をそれぞれＬＣＤに設定し、ステップＳ４１３で表示装置切り換えボタン６６を有効にしてから処理を終了する。なお、上記例ではＬＣＤ２８を開いた場合には、ユーザが画像をＬＣＤ２８に表示したいものと判断してステップＳ４１０〜ステップＳ４１２の動作を行うが、ステップＳ４１０〜Ｓ４１２の動作は行わなくても構わない。または、予めユーザが好みの表示装置を設定できるようにしても良い。
【０１３３】
上記図２０の処理を行うことにより、ライブ表示中、レビュー表示中、または再生表示中にＬＣＤ２８が開けられた場合には、ステップＳ１００、Ｓ１０６、または図８のステップＳ２００における各表示処理において、図２０の各処理で設定された表示装置に画像が表示されるとともに、表示装置切り換えボタン６６が有効になるので、表示装置の切り換え操作が可能になる。
【０１３４】
最後に、図２１を参照して、本第５の実施形態におけるＬＣＤ２８を閉じるときに行われる処理について説明する。
【０１３５】
ＬＣＤ２８が不図示のセンサによって閉じられたと判断すると、ステップＳ４２０においてライブ用表示装置設定を、ステップＳ４２１でレビュー用表示装置設定を、またステップＳ４２２で再生用表示装置設定をそれぞれＥＶＦに設定し、ステップＳ４２３で表示装置切り換えボタン６６を無効にしてから処理を終了する。
【０１３６】
上記図２１の処理を行うことにより、ＬＣＤ２８を閉じる場合には、ステップＳ１００、Ｓ１０６、または図８のステップＳ２００における各表示処理において、ＥＶＦに画像が表示されるとともに、表示装置切り換えボタン６６が無効になるので、図２のステップＳ１０１、Ｓ１０７及び図８のステップＳ２３１が必ずＮＯになり、表示装置の切り換え操作が不可能になる。
【０１３７】
このように、ＬＣＤ２８が開閉可能なパネルで構成されている場合に、ＬＣＤ２８の開閉状態に応じて、各表示モードで使用する表示装置の設定を自動的に変更することが可能となる。
【０１３８】
なお、図１９のステップＳ４０１〜Ｓ４０４、図２０のステップＳ４１１〜Ｓ４１３、図２１のステップＳ４２１〜Ｓ４２３の処理は順不同であってよい。
【０１３９】
＜第６の実施形態＞
次に、本発明の第６の実施形態について説明する。
【０１４０】
本第６の実施形態においては、撮影後に操作部７０の指示によらず、あらかじめ設定された時間だけ即座にレビュー表示を行うクイックレビューと、該設定された時間を超えてレビュー表示を継続するレビューホールドの機能を有する場合について説明する。
【０１４１】
図２２は、本第６の実施形態の撮像装置１００における撮像モード時の処理を示すフローチャートである。図２２において、ステップＳ１００〜Ｓ１０４、及びＳ１１０の処理は、第１の実施形態において図２を参照して説明した同じ処理番号の処理と同様であるためここでは説明を省略し、本第６の実施形態において特徴的な撮影処理後のレビュー処理について詳しく説明する。
【０１４２】
図２２のステップＳ１０４において撮影処理が終了すると、ステップＳ５００において、操作部７０の指示によらず、あらかじめ設定された時間だけ即座にレビュー表示を行う、クイックレビュー表示処理を行う。
【０１４３】
図２３は、ステップＳ５００で行うクイックレビュー表示処理の詳細を示すフローチャートである。
【０１４４】
まずステップＳ５１０において、ライブ用の表示装置設定がどの表示装置にされているかを判断し、ＬＣＤに設定されている場合は、ステップＳ５１１に進みレビュー画像をＬＣＤ２８に表示する。一方、ライブ用の表示装置設定がＥＶＦに設定されている場合は、ステップＳ５１２に進みレビュー画像をＥＶＦ３２へ表示する。
【０１４５】
次に、図２３のステップＳ５０１において、クイックレビュー表示中に表示装置切り換えボタン６６が操作されたかどうかを判断し、操作されていなければステップＳ５０２に進み、操作された場合には、システム制御部５０は処理をステップＳ５０４に進め、クイックレビュー表示切り換え処理を実行する。
【０１４６】
図２４は、ステップＳ５０４で行われるクイックレビュー表示切り換え処理の詳細を示すフローチャートである。
【０１４７】
まず、ステップＳ５２０において、現在設定されているライブ用の表示装置を判断し、ＬＣＤに設定されている場合、ステップＳ５２１においてレビュー用の表示装置設定をＥＶＦに変更し、ステップＳ５２２でＬＣＤ２８をＯＦＦにしてから、図２２のフローに戻る。
【０１４８】
一方、ステップＳ５２０でライブ用の表示装置設定がＥＶＦに設定されていると判断された場合、ステップＳ５２３においてレビュー用の表示装置設定をＬＣＤに変更し、ステップＳ５２４でＥＶＦ３２をＯＦＦにしてから、図２２のフローに戻る。なお、ステップＳ５２２及びＳ５２４の処理の実行タイミングはこれに限るものではなく、例えば、後述するレビューホールド処理でレビュー画像の表示後でも良いし、または行わなくても良い。
【０１４９】
図２２において、ステップＳ５０１で表示切り換えを行わないと判断した場合はステップＳ５０２に進み、操作部７０により、あらかじめ設定されたクイックレビュー表示時間が経過してもレビュー表示を継続するレビューホールドが指示されたかどうかを判断する。指示されていなければ、ステップＳ５０３でシステム制御部５０は、クイックレビュー表示時間が経過するか、操作部７０の操作によりクイックレビュー表示の終了が指示され、クイックレビュー表示が終了するまで、処理をＳ５０１へ戻してクイックレビュー表示を継続する。
【０１５０】
一方、ステップＳ５０２でレビューホールドが指示された場合、及び、ステップＳ５０４におけるクイックレビュー表示切り換え処理の終了後はステップＳ５０５に進み、レビューホールド処理を実行する。
【０１５１】
図２５は、ステップＳ５０５で行われるレビューホールド処理の詳細を示すフローチャートである。
【０１５２】
ステップ５３０において、レビュー用の表示装置設定がどの表示装置にされているかを判断する。なお、設定されていない場合には、図２３を参照して説明したクイックレビュー表示処理と同様に、ライブ用の表示装置を判断する。ＬＣＤに設定されている場合は処理をＳ５３１へ進め、ＬＣＤ２８がＯＦＦであれば、ステップＳ５３２でＬＣＤ２８をＯＮした後、レビュー画像をＬＣＤ２８へ表示する（ステップＳ５３３）。
【０１５３】
一方、ステップＳ５３０においてＥＶＦに設定されていると判断された場合は処理をステップＳ５３４へ進め、ＥＶＦ３２がＯＦＦであれば、ステップＳ５３５でＥＶＦ３２をＯＮした後、レビュー画像をＥＶＦ３２へ表示する（ステップＳ５３６）。
【０１５４】
ステップＳ５３３またはＳ５３６でレビュー画像を表示後は、システム制御部５０は、ステップＳ５３７にて操作部７０の操作によりレビューホールドの終了が指示されるまで（ステップＳ５３７でＹＥＳの間、レビューホールドを継続し、レビュー画像を表示し続ける。
【０１５５】
このように、本第６の実施形態によれば、クイックレビューをライブ用の表示装置に表示することで、撮影した画像をおおまかに確認しながら、リズムを崩すことなく撮影を続けることができ、クイックレビュー表示中に操作部７０を操作するか、表示装置切り換えボタン６６を操作することで、レビューホールドするとともに、レビュー表示をレビュー用の表示装置に切り換えることにより、撮影した画像のピント等を詳細に確認することが可能となる。
【０１５６】
なお、上記第６の実施形態においては、レビューホールド時には表示装置の切り換えを行わない場合について説明したが、行うようにすることも勿論可能である。その場合、表示装置切り換えボタン６６の操作に応じて、図７に示す処理を行えばよい。ただし、図７のステップＳ１６５の処理の代わりに、図２５の処理を行うことになる。
【０１５７】
なお、上記第６の実施形態では、クイックレビュー表示中に表示装置切り換えボタン６６が操作された場合に、レビュー表示用の表示装置を切り換えるとともに、レビューホールドをする場合について説明したが、逆に、レビューホールド用の表示装置を予め設定しておき、クイックレビュー表示中に任意の操作部材が所定操作をされた場合に、レビューホールドに移行すると共に、設定された表示装置に切り換えるように制御することも可能である。
【０１５８】
なお、上記第１〜第６の実施形態では、複数の表示装置をＥＶＦとＬＣＤとして説明したが、ＴＦＴ等他の表示装置を用いてもよく、表示装置の種類を限定するものではない。
【０１５９】
また、２つの表示装置を搭載するものとして説明したが、３つ以上の表示装置が搭載されている場合であってももちろん構わない。その場合、表示装置切り換えボタン６６の１回の操作毎に、順に表示装置を選択すればよい。
【０１６０】
また、上記第１〜第６の実施形態の説明においては、各表示モードにおける表示装置の設定の初期値については説明しなかったが、電源ＯＮ時に所定の設定に初期化してもよいし、電源ＯＦＦ時の設定を記憶しておき、電源ＯＮ時に記憶した設定で初期化してもよい。
【０１６１】
さらには、電源ＯＦＦ時に現在の設定の一部を記憶しておき、電源ＯＮ時には一部を記憶した設定で初期化するとともに、他は所定の設定で初期化するようにしても構わない。
【０１６２】
また、表示装置が格納可能である場合は、初期化時の設定を、表示装置の格納状態に応じて変更することも可能である。
【０１６３】
また、本発明は、以上の各実施形態、または、それら技術要素を必要に応じて組み合わせるようにしてもよい。
【図面の簡単な説明】
【０１６４】
【図１】本発明の一実施の形態における撮像装置の構成を示すブロック図である。
【図２】本発明の第１の実施形態における撮影モード時の処理を示すフローチャートである。
【図３】本発明の第１の実施形態におけるライブ表示処理のフローチャートである。
【図４】本発明の第１の実施形態におけるライブ表示切り換え処理のフローチャートである。
【図５】本発明の第１の実施形態における撮影処理のフローチャートである。
【図６】本発明の第１の実施形態におけるレビュー表示処理のフローチャートである。
【図７】本発明の第１の実施形態におけるレビュー表示切り換え処理のフローチャートである。
【図８】本発明の第１の実施形態における再生モード時の処理を示すフローチャートである。
【図９】本発明の第１の実施形態における再生表示処理のフローチャートである。
【図１０】本発明の第１の実施形態における再生表示切り換え処理のフローチャートである。
【図１１】本発明の第１の実施形態における警告表示処理のフローチャートである。
【図１２】本発明の第１の実施形態における設定メニュー表示処理のフローチャートである。
【図１３】本発明の第２の実施形態におけるライブ表示処理のフローチャートである。
【図１４】本発明の第２の実施形態におけるレビュー表示処理のフローチャートである。
【図１５】本発明の第３の実施形態におけるライブ表示切り換え処理のフローチャートである。
【図１６】本発明の第３の実施形態におけるレビュー表示切り換え処理のフローチャートである。
【図１７】本発明の第４の実施形態における再生表示切り換え処理のフローチャートである。
【図１８】本発明の第４の実施形態におけるレビュー表示切り換え処理のフローチャートである。
【図１９】本発明の第５の実施形態における電源ＯＮ時のＬＣＤ確認処理を示すフローチャートである。
【図２０】本発明の第５の実施形態におけるＬＣＤパネル閉処理のフローチャートである。
【図２１】本発明の第５の実施形態におけるＬＣＤパネル開処理のフローチャートである。
【図２２】本発明の第６の実施形態における撮影モード時の処理を示すフローチャートである。
【図２３】本発明の第６の実施形態におけるクイックレビュー表示処理のフローチャートである。
【図２４】本発明の第６の実施形態におけるクイックレビュー表示切り換え処理のフローチャートである。
【図２５】本発明の第６の実施形態におけるレビューホールド処理のフローチャートである。
【符号の説明】
【０１６５】
１０：撮影レンズ、１２：シャッター、１４：撮像素子、１６：Ａ／Ｄ変換器、１８：タイミング発生回路、２０：画像処理部、２２：メモリ制御部、２４：画像表示メモリ、２６、３０：Ｄ／Ａ変換器、２８：画像表示部（ＬＣＤ）、３２ＥＶＦ、３４：メモリ、３６：圧縮伸長部、４０：露光制御部、４２：測距制御部、４４：ズーム制御部、４６：バリア制御部、４８：フラッシュ、５０：システム制御部、５２：メモリ、５４：通知部、５６：不揮発性メモリ、６０：モードダイアルスイッチ、６２：シャッタースイッチＳＷ１、６４：シャッタースイッチＳＷ２、６６：表示装置切り換えボタン 、７０：操作部、８０：電源制御部、８２、８４：コネクタ、８６：電源、９０、９４：インタフェース、９２、９６：コネクタ、９８：記録媒体検知部、１００：撮像装置、１０２：バリア、１１０：通信部、１１２：コネクタ（またはアンテナ）、２００、２１０：記録媒体、２０２、２１２：記録部、２０４、２１４：インタフェース、２０６、２１６：コネクタ
【図１】
2005223762.tif 000003
【図２】
2005223762.tif 000004
【図３】
2005223762.tif 000005
【図４】
2005223762.tif 000006
【図５】
2005223762.tif 000007
【図６】
2005223762.tif 000008
【図７】
2005223762.tif 000009
【図８】
2005223762.tif 000010
【図９】
2005223762.tif 000011
【図１０】
2005223762.tif 000012
【図１１】
2005223762.tif 000013
【図１２】
2005223762.tif 000014
【図１３】
2005223762.tif 000015
【図１４】
2005223762.tif 000016
【図１５】
2005223762.tif 000017
【図１６】
2005223762.tif 000018
【図１７】
2005223762.tif 000019
【図１８】
2005223762.tif 000020
【図１９】
2005223762.tif 000021
【図２０】
2005223762.tif 000022
【図２１】
2005223762.tif 000023
【図２２】
2005223762.tif 000024
【図２３】
2005223762.tif 000025
【図２４】
2005223762.tif 000026
【図２５】
2005223762.tif 000027